(57)【要約】【課題】  押子の生産性を向上することができる出没式筆記具を提供する。【解決手段】  軸筒後端側の外周面から露出する複数の押子３０を備え、各押子３０に対する操作に応じて筆記部２１ａを出没させるようにした出没式筆記具において、前記押子３０は、軸筒１０に対し進退可能に設けられる押子本体３１と、前記筆記部２１ａの筆記色に対応する色を有する色識別部３２とを具備し、前記押子本体３１に対し前記色識別部３２を部分的に設けてなり、前記色識別部３２の色を、前記押子本体３１の色とは異なる色にした。【選択図】  図２
2011183818.tif 000002
【特許請求の範囲】
【請求項１】
軸筒後端側の外周面から露出する複数の押子を備え、各押子に対する操作に応じて筆記部を出没させるようにした出没式筆記具において、
前記押子は、軸筒に対し進退可能に設けられる押子本体と、前記筆記部の筆記色に対応する色を有する色識別部とを具備し、前記押子本体に対し前記色識別部を部分的に設けてなり、
前記色識別部の色を、前記押子本体の色とは異なる色にしたことを特徴とする出没式筆記具。
【請求項２】
前記色識別部は、前記押子本体に対し嵌合されていることを特徴とする請求項１記載の出没式筆記具。
【請求項３】
前記押子本体に軸筒径方向へ貫通する貫通孔が設けられるとともに、該貫通孔内には係止突部が設けられ、
前記色識別部は、前記貫通孔の軸筒内側からその内部へ挿入されて前記係止突部によって後退不能に係止されていることを特徴とする請求項２記載の出没式筆記具。
【請求項４】
前記押子本体の後端側には、軸筒外へ露出するように、操作部が軸筒遠心方向へ隆起して設けられ、
前記色識別部は、前記操作部の突端面に対し、略面一または凹状に配設されていることを特徴とする請求項１乃至３何れか１項記載の出没式筆記具。
【請求項５】
複数の前記押子本体の色の種類を、一色としたことを特徴とする請求項１乃至４何れか１項記載の出没式筆記具。
【発明の詳細な説明】
【技術分野】
【０００１】
本発明は、押子を進退させる操作により、ボールペンチップやシャープペンシル先端部等の筆記部を軸筒の先端から出没させるようにした出没式筆記具に関するものである。
【背景技術】
【０００２】
従来、この種の筆記具には、例えば特許文献１に記載されたもののように、軸筒の後端側に、断面放射状に配置されるように複数の押子（３０）を備え（特許文献１の図５参照）、これら複数の押子が選択的に操作されることで、所望とする筆記色のボールペンチップを軸筒前端から突出させる。
したがって、前記のような多色の出没式筆記具では、例えば非特許文献１等からもわかるように、ボールペンチップの筆記色と、押子全体の色とが対応している。
【０００３】
ところで、前記のように複数色の押子を製造するためには、色の異なる複数種類の合成樹脂原材料を準備し、その合成樹脂原材料毎に成形を行う必要がある。
また、成形された複数色の押子は、混入することのないように部品管理される必要がある上、色による成形後の収縮率の違い等に起因して部品寸法のバラつきを生じるおそれもある。
【先行技術文献】
【特許文献】
【０００４】
【特許文献１】特開２００５−１１１８７６号公報
【非特許文献】
【０００５】
【非特許文献１】２００７年  ゼブラ総合カタログ、発行：ゼブラ株式会社、発行日：２００７年１月１日、第９８頁
【発明の概要】
【発明が解決しようとする課題】
【０００６】
本発明は上記従来事情に鑑みてなされたものであり、その課題とする処は、押子の生産性を向上することができる出没式筆記具を提供することにある。
【課題を解決するための手段】
【０００７】
上記課題を解決するための技術的手段は、軸筒後端側の外周面から露出する複数の押子を備え、各押子に対する操作に応じて筆記部を出没させるようにした出没式筆記具において、前記押子は、軸筒に対し進退可能に設けられる押子本体と、前記筆記部の筆記色に対応する色を有する色識別部とを具備し、前記押子本体に対し前記色識別部を部分的に設けてなり、前記色識別部の色を、前記押子本体の色とは異なる色にしたことを特徴とする。
【発明の効果】
【０００８】
本発明は、以上説明したように構成されているので、以下に記載されるような作用効果を奏する。
押子本体を共通部品化できるため、部品管理が容易な上、押子全体の寸法精度にバラつきが生じるようなことも防ぐことができ、ひいては、押子および該押子を用いた出没式筆記具の生産性を向上することができる。
【図面の簡単な説明】
【０００９】
【図１】本発明に係わる出没式筆記具の一例を示す断面図であり、中間部を省略して示している。
【図２】押子の一例を示す要部拡大断面図である。
【発明を実施するための形態】
【００１０】
本発明を実施するための一形態では、軸筒後端側の外周面から露出する複数の押子を備え、各押子に対する操作に応じて筆記部を出没させるようにした出没式筆記具において、前記押子は、軸筒に対し進退可能に設けられる押子本体と、前記筆記部の筆記色に対応する色を有する色識別部とを具備し、前記押子本体に対し前記色識別部を部分的に設けてなり、前記色識別部の色を、前記押子本体の色とは異なる色にした。
【００１１】
さらに好ましい形態では、前記色識別部は、前記押子本体に対し嵌合されている。
【００１２】
さらに好ましい形態では、前記押子本体に軸筒径方向へ貫通する貫通孔が設けられるとともに、該貫通孔内には係止突部が設けられ、前記色識別部は、前記貫通孔の軸筒内側からその内部へ挿入されて前記係止突部によって後退不能に係止されている。
【００１３】
さらに好ましい形態では、前記押子本体の後端側には、軸筒外へ露出するように、操作部が軸筒遠心方向へ隆起して設けられ、前記色識別部は、前記操作部の突端面に対し、略面一または凹状に配設されている。
【００１４】
さらに好ましい形態では、複数の前記押子本体の色の種類を、一色とした。
【実施例】
【００１５】
以下、上記形態の特に好ましい実施例を、図面に基づいて説明する。
この出没式筆記具Ａは、先端口１１からボールペン用リフィール２１の筆記部２１ａやシャープペンシル用リフィール２２の筆記部２２ａを出没させる軸筒１０と、この軸筒１０の後端側に配設された複数の押子３０及び開閉操作機能付クリップ４０とを備え、選択された一つの押子３０または開閉操作機能付クリップ４０を、軸方向へのスライド操作により、前進位置と後退位置との間で移動させる。
【００１６】
なお、上記前進位置とは、押子３０又は開閉操作機能付クリップ４０が、軸方向への前進スライドにより筆記部２１ａ（又は２２ａ）を先端口１１から突出させて、軸筒１０内に係止された状態である。
また、上記後退位置とは、押子３０又は開閉操作機能付クリップ４０が、軸方向への後退スライドにより筆記部２１ａ（又は２２ａ）を先端口１１内へ没入させて静止した状態である。
【００１７】
軸筒１０は、当該出没式筆記具Ａの略全長にわたる長尺筒状の部材であり、前端側を先細状に形成するとともにその最前端部に筆記部２１ａ（又は２２ａ）を出没させる先端口１１を有する。また、この軸筒１０の後端側周壁には、押子３０及び開閉操作機能付クリップ４０を軸方向へ案内する案内孔１２，１３を複数形成している。なお、この軸筒１０は、一体の筒状部材から構成してもよいし、複数の筒状部材を連結した構成であってもよい。
図示例によれば、案内孔１２は、ボールペン用リフィール２１に対応する押子３０を進退可能に係合させるための孔であり、案内孔１３は開閉操作機能付クリップ４０を進退可能に係合させるための孔である。これら案内孔１２，１３の各々は、軸方向へ延びる平面視略長尺矩形状に形成されている。
【００１８】
また、軸筒１０の内周面には、案内孔１２又は１３の近傍に位置して、押子３０、又は開閉操作機能付クリップ４０のクリップ支持体４１を係合させるための係止部１４が形成されている。
各係止部１４は、押子３０又は開閉操作機能付クリップ４０が前進位置にて軸筒軸心方向へ沈み込んだ際、この押子３０又はクリップ支持体４１の後端部を係止させるように、軸筒１０の内周面に段部状に形成されている。この係止部１４は、案内孔１２又は１３を間に挟むようにして一対に配設されている。
【００１９】
また、ボールペン用リフィール２１は、インクを充填したインクタンク２１ｂと、該インクタンク２１ｂの前端部に接続された筆記部２１ａ（ボールペンチップ）とを備え、筆記部２１ａ内の転写ボールの転動によりインクタンク２１ｂ内のインクを吐出するように構成してある。
なお、図示を省略しているが、このボールペン用リフィール２１は、例えば黒色や赤色、青色等、異なるインク色のものが複数用いられる。そして、これら複数のボールペン用リフィール２１は、軸筒１０後端側に断面放射状に配設される。
【００２０】
また、シャープペンシル用リフィール２２は、その前端部に筆記部２２ａを備え、後端部を、開閉操作機能付クリップ４０のクリップ支持体４１に接続している。
このシャープペンシル用リフィール２２は、開閉操作機能付クリップ４０が前進位置にてノック操作された際に、筆記部２２ａから鉛芯を繰り出すように構成してある。
【００２１】
また、各ボールペン用リフィール２１の後端に接続された押子３０は、軸筒１０に対し進退可能に設けられる押子本体３１と、筆記部２１ａの筆記色に対応する色を有する色識別部３２とを具備してなり、該押子本体３１の一部分に対し色識別部３２が配設されている。
【００２２】
押子本体３１は、案内孔１２に係合して進退し、前進位置で軸筒求心方向へ沈み込んで、軸筒１０内周面における案内孔１２両側の係止部１４，１４に係止され、その係止状態が他の押子３０との干渉により解除されるように形成される。
この押子本体３１は、例えば、単一色の合成樹脂材料により成形される。すなわち、この押子本体３１の色の種類は一色のみである。
この押子本体３１の後端側には、軸筒１０外へ露出するように、操作部３１ａが軸筒遠心方向へ隆起している。そして、この操作部３１ａの最も隆起した部分には、押子本体３１を軸筒径方向へ貫通するようにして、色識別部３２を嵌合させるための貫通孔３１ｂ（図２参照）が設けられる。
【００２３】
この貫通孔３１ｂ内には、その軸筒１０内側の開口部（図２の左側の開口部）から色識別部３２が挿入されて後退不能に係止されるように、単数もしくは複数の係止突部３１ｂ１が設けられている。
この係止突部３１ｂ１は、図示例によれば、貫通孔３１ｂ内で対向するように二つ設けられている。そして、各係止突部３１ｂ１は、色識別部３２の挿入方向（図２によれば右方向）へ向かって貫通孔３１ｂの内径を狭めるように傾斜するとともに、貫通孔３１ｂの周方向において部分的な円弧状となるように形成されている。
【００２４】
また、色識別部３２は、図示例によれば、貫通孔３１ｂの長さよりも若干短い有底筒状に形成され、その外周面に前記係止突部３１ｂ１，３１ｂ１に係合させるための環状溝３２ａを有する。
この色識別部３２は、ボールペン用リフィール２１の筆記色（インク色）に対応する色の合成樹脂材料により成形される。すなわち、異なる色の複数のボールペン用リフィール２１に対応して、色の異なる複数の色識別部３２が用意される。
この色識別部３２の色は、押子本体３１と同色であってもよいが、特に視認性を向上するためには、押子本体３１の色とは異なる色とするのが好ましい。
【００２５】
そして、各色識別部３２は、押子本体３１の貫通孔３１ｂに挿入され、押子本体３１の隆起した操作部３１ａの突端面に対し、略面一または若干窪んだ凹状となるように配設される。この構成によれば、色識別部３２が外部からの押圧力によって軸筒１０内側へ強引に押し込まれてしまうようなことを防ぐことができる。
【００２６】
なお、前記係止突部３１ｂ１の他例としては、貫通孔３１ｂの周方向において単数又は三以上設けた態様や、全周へわたる環状突部とした態様等とすることも可能である。更に、他例としては、前記凹凸関係を逆にしてもよく、すなわち、色識別部３２の外周面に係止突部を設けるとともに貫通孔３１ｂの内周面に凹部を設け、これら係止突部と凹部を係合させるようにしてもよい。
【００２７】
また、開閉操作機能付クリップ４０は、押子３０と略同様に軸筒１０に対し進退するように設けられたクリップ支持体４１と、該クリップ支持体４１に対し揺動可能に支持された中間支持部材４２と、該中間支持部材４２における揺動支点部よりも後方側を軸筒遠心方向へ付勢する付勢部材４３（図示例によればコイルスプリング）と、中間支持部材４２に対し一体的に嵌合されたクリップ部４４とを具備し、クリップ部４４の後端部が軸筒求心方向へ押圧された際に、クリップ部４４の前端側を軸筒１０外周面から離間させ、その押圧力が解除された際には、前記付勢部材４３の付勢力によって元の状態（図１に示す状態）に復帰するようになっている。
【００２８】
また、図中符号５１は押子３０又は開閉操作機能付クリップ４０を後方へ付勢するコイルスプリング、符号５２はボールペン用リフィール２１及びシャープペンシル用リフィール２２を貫挿させて支持する貫挿支持部材である。
また、図中符号５３は、軸筒１０に対し着脱可能に具備された尾栓である。
【００２９】
而して、上記構成の出没式筆記具Ａによれば、押子本体３１を共通部品化できるため部品管理が容易な上、寸法管理も一種類の押子本体３１のみについて行えばよく、ひいては、押子３０および当該出没式筆記具Ａの生産性を向上できる上、押子本体３１の寸法バラつき等に起因する作動不良を防ぐことができる。
その上、押子本体３１の後端側に、部分的に色識別部３２が視認されるため、その視認性および外観上の体裁が良好である。
【００３０】
なお、上記出没式筆記具Ａによれば、押子本体３１に対し色識別部３２が軸筒１０内側から挿入されて係止されるようにすることで、色識別部３２が軸筒１０内へ抜けてしまうようなことを防止しているが、他例としては、押子本体３１に対し露出面側（図２によれば右側）から押子本体３１が挿入される構造とすることも可能である。この場合、色識別部３２が軸筒１０内へ抜けてしまわないように、貫通孔３１ｂを、前記露出面側が開放した有底孔に置換してもよい。
【００３１】
また、上記出没式筆記具Ａによれば、色識別部３２の視認性を良好にする観点から、色識別部３２を押子本体３１における隆起した操作部３１ａに設けるようにしたが他例としては、押子本体３１の前端側や押子本体３１の側面に色識別部３２を配設した構成とすることも可能である。
【００３２】
また、色識別部３２の外観視形状（図２において右側から視た形状）は、図示例によれば略円形状であるが、他例としては、星型や、三角形状、四角形状、十字形状などとしてもよい。
【００３３】
また、図示例によれば押子本体３１に対し単一の箇所に部分的に色識別部３２が配設される態様としたが、他例としては、押子本体３１に対し複数の箇所にそれぞれ部分的に色識別部３２が配設される態様とすることも可能である。
【００３４】
また、上記出没式筆記具Ａによれば、特に好ましい態様として押子本体３１に対し別部品の色識別部３２を嵌め合わせる構造としたが、他例としては、押子本体に対し色識別部をインサート成形した態様や、押子本体に対しシール状の色識別部を貼り付けた態様、塗料である色識別部を押子本体に対し部分的に着色した態様などとすることも可能である。
【符号の説明】
【００３５】
１０：軸筒                  ２１：ボールペン用リフィール
２１ａ：筆記部              ３０：押子
３１：押子本体              ３２：色識別部
Ａ：出没式筆記具
【図１】
2011183818.tif 000003
【図２】
2011183818.tif 000004